(57)【要約】【課題】各節の重量増加を伴うことなく嵌合部の応力集中を低減し、節の破損を防止することができる釣竿を提供する。【解決手段】当該釣竿１０は、第１番節１２、元上節１３及び元節１４が長手方向に継がれている。元上節１３の端部に第１番節１２の端部が軸方向７に沿って嵌合し、元節１４の端部に元上節１３の端部が軸方向７に沿って嵌合する。元節１４の先端部は、端面６２が軸方向７に対して４５°（３０°〜５５°）に傾斜するように切断されている。元節１４の端面６２は、各中空節１６に曲げモーメントＭが作用したときに元上節１３の引張応力が生じる側に開口するように配置されている。【選択図】図４
2015173597.tif 000002
【特許請求の範囲】
【請求項１】
複数の中空節を有し、大径の中空節の端部に小径の中空節の端部が長手方向に沿って嵌合する釣竿であって、
上記大径の中空節の端部は、当該中空節の端面が上記長手方向に対して３０°〜５５°に傾斜するように斜めに切断されており、
上記大径の中空節の端面が、上記各中空節に曲げモーメントが作用したときに上記小径の中空節の引張応力が生じる側に開口するように配置されている釣竿。
【請求項２】
上記大径の中空節の端面の法線の向きが、上記小径の中空節の中心を通る縦断面に沿っている請求項１に記載の釣竿。
【請求項３】
上記大径の中空節及び小径の中空節は、当該釣竿のバット側及びティップ側に配置されており、
上記小径の中空節の上記バット側端部が上記大径の中空節の上記ティップ側端部の内側に挿入嵌合されている請求項１又は２に記載の釣竿。
【発明の詳細な説明】
【技術分野】
【０００１】
この発明は、複数の節が長手方向に継がれて構成される釣竿に関し、具体的には隣り合う節の継部の構造に関するものである。
【背景技術】
【０００２】
一般に、釣竿は、複数の節（ブランク）が長手方向に継がれることにより構成される。各節を継ぎ合わせる方式として、振出式や並継式などがある。
【０００３】
魚がヒットして釣竿に曲げモーメントが作用すると、各節同士の継ぎ合わせ部分（嵌合部）に応力集中が発生し、その結果、生じた応力が一定以上に達すると釣竿が破損する。そこで、上記嵌合部の応力集中を緩和するために、節の端部を斜めにカットした釣竿が提供されている（たとえば、特許文献１参照）。
【先行技術文献】
【特許文献】
【０００４】
【特許文献１】特開２００１−２５８４３１号公報
【発明の概要】
【発明が解決しようとする課題】
【０００５】
特許文献１に開示された釣竿では、節の端面が当該節の長手方向に対して直交せずに傾斜しているので、上記嵌合部の応力の集中はたしかに緩和される。しかし、応力の集中が緩和されても嵌合部に生じる応力の大きさが一定値を超えると節が破損してしまうことに変わりはない。すなわち、たとえ節の端面が斜めにカットされたとしても、嵌合部の長さ（隣り合う節のオーバーラップ）が短くなれば嵌合部に生じる応力は大きくなるので、結局のところ節の破損のおそれは払拭されない。一方、嵌合部が長くなれば、生じる応力が抑えられるが、節の重量が増えて釣竿が重くなる。仮に節の設計において重量増加が許容されるのであれば、そもそも節の端部を斜めにカットするという高度な加工（引用文献１参照）をせずに、従来のように節の端面をストレートに（節の長手方向に対して直交）カットし、嵌合部の肉厚を許容される範囲で増加させるべきである。
【０００６】
この発明は、かかる背景のもとになされたものであって、その目的は、従来の釣竿との比較において各節の重量増加を伴うことなく嵌合部の応力集中を低減し、節の破損を防止することができる釣竿を提供することである。
【課題を解決するための手段】
【０００７】
(1) 本発明に係る釣竿は、複数の中空節を有し、大径の中空節の端部に小径の中空節の端部が長手方向に沿って嵌合する釣竿である。上記大径の中空節の端部は、当該中空節の端面が上記長手方向に対して３０°〜５５°に傾斜するように斜めに切断されている。上記大径の中空節の端面は、上記各中空節に曲げモーメントが作用したときに上記小径の中空節の引張応力が生じる側に開口するように配置されている。
【０００８】
この釣竿では、各中空節（ブランク）が長手方向に沿って継がれる。継形式は、並継ぎや振出式のほか、種々の形式が採用され得る。図６が示すように、大径の中空節の内側に小径の中空節が嵌め込まれている。同図（Ａ）は、従来の釣竿における隣り合う中空節の嵌合部を示している。本発明では、大径の中空節の端面が斜めに切断されているので、嵌合部は、同図（Ｂ）が示す構造となる。
【０００９】
同図（Ａ）が示すように、従来の釣竿では、大径の中空節１の端面２は、軸方向７に対して直交しているが、本発明では、大径の中空節１の端面２は、軸方向７に対して傾斜しており、この傾斜角度θは、３０°（ｄｅｇｒｅｅ）〜５５°である。このように、大径の中空節１の端面２が傾斜しているから、各中空節に曲げモーメントが作用したときに、各中空節に生じる応力集中が緩和される。加えて、大径の中空節と小径の中空節３とのオーバーラップＬは、同一である。本発明におけるオーバーラップＬは、同図（Ｂ）が示すように、大径の中空節１の端面２の中央Ｃから小径の中空節３の端面４までの距離をいう。このようにオーバーラップＬが定義されることにより、大径の中空節１の端面２が斜めに切断されたとしても、嵌合部の重量は不変である。
【００１０】
本発明では、同図（Ｃ）が示すように、大径の中空節１の端面２に現れる開口５は、隣り合う中空節に曲げモーメントＭが作用したときに小径の中空節３の引張応力が生じる側に向く。つまり、同図（Ｃ）が示すように、釣竿が上側に凸となるように曲げモーメントＭ（同図（Ｂ）参照）が作用した場合、上記開口５が上方を向くように配置される。すなわち、曲げモーメントＭが作用した状態で、大径の中空節１は、小径の中空節３のうち圧縮応力が生じる部分を他の部分より広い面で支持することになる。曲げモーメントＭが作用した場合に発生する嵌合部の破損は、小径の中空節３のうち圧縮応力が生じる部分の座屈によるものであるから、小径の中空節３のうち圧縮応力が生じる部分が広い面で支持されることにより、発生する圧縮応力の値が低減される。
【００１１】
ここで、上述した傾斜角度θが小さい程、各中空節に生じる応力集中が緩和され、また、小径の中空節３のうち圧縮応力が生じる部分が広い面で支持される。しかし、傾斜角度θが３０°よりも小さくなると、大径の中空節４の端面が先鋭的になり、嵌合部が却って破損し易くなる。
【００１２】
(2) 上記大径の中空節の端面の法線の向きが、上記小径の中空節の中心を通る縦断面に沿っているのが好ましい。
【００１３】
(3) 上記大径の中空節及び小径の中空節は、当該釣竿のバット側及びティップ側に配置されており、上記小径の中空節の上記バット側端部が上記大径の中空節の上記ティップ側端部の内側に挿入嵌合されているのが好ましい。
【発明の効果】
【００１４】
この発明によれば、大径の中空節の端部が斜めに切断され且つ当該端部に形成される開口は、引張応力が生じる側に向いている。これにより、隣り合う中空節同士により構成される嵌合部に応力が集中することが避けられ、且つ釣竿の破損の原因となる圧縮応力の値も低減される。しかも、従来の釣竿と比べて上記嵌合部のオーバーラップが不変であるから、釣竿の重量が増加することなく、上記嵌合部の応力集中及び破損が防止される。
【図面の簡単な説明】
【００１５】
【図１】図１は、釣竿１０の要部正面図である。
【図２】図２は、元上節１３及び元節１４の嵌合部の分解斜視図である。
【図３】図３は、元上節１３及び元節１４の嵌合部の正面図である。
【図４】図４は、元上節１３及び元節１４の嵌合部の正面図及び横断面図である。
【図５】図５は、元上節１３及び元節１４の嵌合部の平面図及び横断面図である。
【図６】図６は、本発明の作用効果を示す図である。（Ａ）は、従来の釣竿における隣り合う中空節の嵌合部の正面図、（Ｂ）は、本発明に係る釣竿における隣り合う中空節の嵌合部の正面図、（Ｃ）は、本発明に係る釣竿における隣り合う中空節の嵌合部の斜視図である。
【発明を実施するための形態】
【００１６】
以下、本発明の好ましい実施形態が、適宜図面が参照されながら説明される。なお、本実施の形態は、本発明に係る釣竿の一態様にすぎず、本発明の要旨を変更しない範囲で実施態様が変更されてもよいことは言うまでもない。
【００１７】
［釣竿１０の全体構成］
【００１８】
図１は、本発明の一実施形態に係る釣竿１０の要部正面図である。（Ａ）図は、釣竿１０に曲げモーメントＭが作用していない状態を示しており、（Ｂ）図は、曲げモーメントＭが作用した状態を示している。
【００１９】
釣竿１０は、振出式のものである。釣用リール１１が、図１に示される釣竿１０に装着されている。なお、図１（Ａ）に示される釣竿１０は、魚がヒットしていない状態である。一方、図１（Ｂ）に示される釣竿１０は、魚がヒットした状態であり、曲げモーメントＭが釣竿１０に作用することによって釣竿１０が曲がっている。
【００２０】
釣竿１０は、炭素繊維強化プラスチックやガラス繊維強化プラスチックなどで形成されている。釣竿１０は、本実施形態では、３本の中空節１６と複数のガイド部材１５とを備えている。各中空節１６は、釣竿１０を構成する細長棒状の部材（「ブランク」と称される場合もある。）である。これら中空節１６は、釣竿１０の先端側から順に第１番節１２、第２番節１３と呼ばれ、最も後端（基端）の節は、特に元節１４と呼ばれる。元節１４に連続する前節は、特に元上節と呼ばれる。図１に示される釣竿１０は、３本の中空節１６を備えているため、第２番節１３が元上節１３である。
【００２１】
各中空節１６は筒状に形成されている。各中空節１６は、公知の方法によって、例えばカーボン繊維を含侵させた樹脂シート（カーボンプリプレグ）を螺旋状に巻回して焼成することによって製造することができる。各中空節１６は互いに嵌合しているが、この嵌合については後に詳細に説明される。
【００２２】
ガイド部材１５が、各中空節１６に設けられている。各ガイド部材１５は、釣用リール１１から繰り出される釣糸１９が挿通される挿通孔を有する。各ガイド部材１５は、釣糸１９を釣竿１０の外周面に沿って釣竿１０の軸方向７（図１（Ａ）では紙面の左右方向である長手方向に一致している。）に案内するためのものである。すなわち、図１に示された釣竿１０は、所謂アウターガイドタイプの釣竿である。
【００２３】
釣竿１０は、ティップ部４１及びバット部４４を有している。ティップ部４１は、釣竿１０の先端部（先端及びその近傍の部分）である。第１番節１２は、ティップ部４１の一部を構成する。バット部４４は、釣竿１０の基端部（基端及びその近傍の部分）である。元節１４は、バット部４４の一部を構成する。バット部４４は、元節１４の基端近傍に設けられたリアグリップ４５と、リアグリップ４５よりも先端側に設けられたフロントグリップ４６と、リアグリップ４５及びフロントグリップ４６の間に設けられたリールシート４７とを備えている。
【００２４】
リアグリップ４５及びフロントグリップ４６は、ゴムなどの高摩擦係数の部材で形成されている。釣竿１０が使用される際、リアグリップ４５及びフロントグリップ４６の少なくとも一方が、釣竿１０のユーザによって把持される。リールシート４７は、釣用リール１１を釣竿１０に保持するためのものである。リールシート４７は、固定フード４８と、固定フード４８に対して接離可能な可動フード４９と、可動フード４９のスライドををロックするロック部（不図示）とを備えている。可動フード４９が固定フード４８と協働して釣用リール１１の脚を挟持することにより、釣用リール１１はリールシート４７に位置決め固定される。
【００２５】
［中空節１２、１３、１４の嵌合］
【００２６】
上述したように、釣竿１０は、３本の中空節１６（第１番節１２、元上節１３、及び元節１４）を備えている。各中空節１６は、釣竿１０の軸方向７に沿って互いに嵌合している。つまり、第１番節１２の後端部が元上節１３の先端部に嵌合し、元上節１３の後端部が元節１４の先端部に嵌合している。
【００２７】
図２が示すように、元節１４が筒状に形成されることにより、元節１４の先端側（上記ティップ部４１側）の端面６２に開口６８が形成されている。元上節１３の後端側（上記バット部４４側）部分は、上記開口６８を通じて元節１４の内部に嵌め合わされている。元上節１３は、全体としてテーパ状に形成されており、先端側の外径よりも後端側の外径の方が大きくなっている。また、元上節１３の後端の外径は、元節１４の先端側の内径よりも大きく設定されている。これにより、元上節１３が元節１４から引き出された際に、元上節１３の後端部が元節１４の先端部と嵌合されて両者が固定される。なお、第１番節１２と元上節１３との関係も同様である。
【００２８】
図３（Ａ）が示すように、本実施形態では、元節１４の先端部は、斜めに切断されている。元上節１４の端面６２は、軸方向７に対して角度θだけ傾いており、本実施形態では、角度θ＝４５°（ｄｅｇｒｅｅ）である。なお、図示されていないが、元上節１３の先端部も軸方向７に対して角度θだけ傾斜するように斜めに切断されている。また、同図（ｂ）（ｃ）が示すように、この角度θは、３０°〜５５°の範囲で適宜設定され得る。
【００２９】
ここで、角度θが小さい程、各中空節１６に生じる応力集中が緩和され、また、元上節１３のうち圧縮応力が生じる部分が広い面で支持される。しかし、傾斜角度θが３０°よりも小さくなると、元節１４の端面が先鋭的になり、元上節１３と元節１４の嵌合部が却って破損し易くなる。
【００３０】
元節１４の端面６２は、曲げモーメントＭが作用したときに、元上節１３の表面のうち引張応力が生じる側に開口している。図１（Ｂ）に示される方向の曲げモーメントＭが釣竿１０に作用すると、釣竿１０は、図１（Ｂ）に示すように上側に凸となるように湾曲する。このとき、湾曲した釣竿１０の湾曲外側に引張応力が生じ、湾曲した釣竿１０の湾曲内側に圧縮応力が生じる。すなわち、図３（Ａ）において、中心軸Ｓを含む中立面より上側部分に引張応力が生じる。
【００３１】
元節１４の端面６２について詳述される。
【００３２】
図４（Ａ）（Ｂ）は、端面６２の開口６８が真っ直ぐに上方を向いている状態を示している。当該端面６２に、最上縁点Ｐ１及び最下縁点Ｐ２が定義される。この場合、最上縁点Ｐ１は、湾曲した釣竿１０の湾曲外側に位置し且つ最下縁点Ｐ２は、湾曲した釣竿１０の湾曲内側に位置する。端面６２が傾斜していることにより、最上縁置Ｐ１における元節１４と元上節１３とのオーバーラップは距離Ｌ１で示され、最下縁点Ｐ２における元節１４と元上節１３とのオーバーラップは距離Ｌ２で示される。最上縁点Ｐ１は、上記オーバーラップが最小となる位置であり、最下縁点Ｐ２は、上記オーバーラップが最大になる位置である。
【００３３】
同図（Ｃ）（Ｄ）は、上記開口６８が同図（Ａ）（Ｂ）の状態から中心軸Ｓを中心として９０°だけ回転した状態を示している。この場合、最上縁位置Ｐ１及び最下縁位置Ｐ２を結ぶ仮想線は、同図（Ａ）（Ｂ）における最上縁位置Ｐ１及び最下縁位置Ｐ２を結ぶ仮想線と直交する。さらに、同図（Ｅ）（Ｆ）は、上記開口６８が同図（Ａ）（Ｂ）の状態から中心軸Ｓを中心として４５°だけ回転した状態を示している。
【００３４】
図５（Ａ）は、図４（Ｃ）の平面図であり、同図（Ｂ）は、元上節１３及び元節１４の嵌合部の横断面図である。図５（Ｃ）（Ｄ）は、図５（Ａ）（Ｂ）の状態から元上節１３及び元節１４が中心軸Ｓを中心として１８０°だけ回転した状態を示している。
【００３５】
本実施形態では、釣竿１０の使用時において、中空節１６は図５が示す姿勢となる。すなわち、釣竿１０の使用時には、中空節１６の端面６２が横方向を向く。具体的には、図５が示すように、元節１４の端面６２の法線６３は、元上節１３の中心６４を通る縦断面６９上に存在し、当該縦断面６９に沿っている。
【００３６】
［実施形態の効果］
【００３７】
従来の釣竿では、元節１４の端面は軸方向に対して直交しているが、本実施形態に係る釣竿１０では、元節１４の端面６２は、軸方向７に対して４５°だけ傾斜している。端面６２が傾斜しているから、元節１４に曲げモーメントＭが作用したときに、隣り合う中空節１６の嵌合部に生じる応力集中が緩和される。このことは、元上節１３についても同様である。
【００３８】
本実施形態において、元節１４の端面６２が傾斜していることから、元節１４と元上節１３との公称オーバーラップＬは、次のように定義される。すなわち、端面６２の中央Ｃ（中心線と交差する点）から、元上節１３の後端までの距離が、公称オーバーラップＬと定義される。そして、従来の釣竿のオーバーラップとの比較において、両者は、同一である。このように公称オーバーラップＬが定義されることにより、元節１４の端面６２が斜めに切断されたとしても、従来の釣竿との比較において元節１４と元上節１３との嵌合部の重量は不変である。
【００３９】
図５が示すように、元節１４の端面６２の法線６３が元上節１３の中心６４を通る縦断面６９上に存在する。つまり、当該法線６３は、元上節１３に引張応力も圧縮応力も生じない中立面に沿う。図１が示すように、釣竿１０が上側に凸となるように曲げモーメントＭが作用した場合、図５が示すように、開口６８が真横を向くから、元節１４と元上節１３とのオーバーラップＬは従来の釣竿と同一でありながら、応力集中は回避される。したがって、当該元節１４と元上節１３との嵌合部に生じる応力値は低減される。しかも、釣竿１０の重量の変化もない。
【００４０】
ところで、曲げモーメントＭが作用した場合に発生する上記嵌合部の破損は、元上節１３の圧縮応力が生じる部分の座屈によるものである。そうすると、曲げモーメントＭが作用したとき、元節１４は、元上節１３の圧縮応力が生じる部分を引張応力が生じる部分よりも広い面で支持すれば、従来の釣竿との比較において発生する圧縮応力の値が低減される。つまり、要するに、上記開口６８が真横から上方を向くように、すなわち、図４（Ａ）を基準に、中心軸Ｓを中心に±９０°まで回転された範囲内にあればよい。なお、このことは、第１番節１２と元上節１３との嵌合部においても同様である。
【００４１】
［変形例１］
【００４２】
本実施形態において、元上節１３及び元節１４の双方の端面６２が軸方向７に対して傾斜するように切断されていたが、少なくとも元節１４の端面６２が傾斜していればよい。
【００４３】
［変形例２］
【００４４】
本実施形態では、各中空節１６は振出形式で継がれていたが、これに限定されるものではなく、いわゆる並継形式であってもよい。すなわち、元節１４の先端部の内側に元上節１３の後端部が挿入され、両者が嵌合する構造であっもよい。また、各中空節１６は、隣り合う中空節１６と嵌合する部分のみが中空構造であり、その他の部分は中実構造であってもよい。
【００４５】
［変形例３］
【００４６】
本実施形態において、釣竿１０は、３本の中空節１６を有するが、中空節１６の数は特に限定されるものではない。
【００４７】
［変形例４］
【００４８】
本実施形態において、釣竿１０は、アウターガイドタイプの釣竿であったが、所謂インナーガイドタイプの釣竿であってもよい。
【符号の説明】
【００４９】
Ｓ・・・中心軸
７・・・軸方向
１０・・・釣竿
１１・・・釣用リール
１２・・・第１番節
１３・・・第２番節（元上節）
１４・・・元節
４１・・・ティップ部
４４・・・バット部
６２・・・端面
６３・・・法線
６９・・・縦断面
【図１】
2015173597.tif 000003
【図２】
2015173597.tif 000004
【図３】
2015173597.tif 000005
【図４】
2015173597.tif 000006
【図５】
2015173597.tif 000007
【図６】
2015173597.tif 000008